【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
第１装置に備わっている第１データ記憶部と、第２装置に備わっている第２データ記憶部との間で少なくとも部分的に同期を取るための方法であって、前記第１データ記憶部および前記第１データ記憶部の各々は、データをデータユニットとしてフォルダに記憶するために使用され、前記フォルダは互いに組み合わされてデータ構造を定義し、前記方法は、
前記第１装置から前記第２装置にメッセージを伝達するステップを含み、
前記メッセージの中で、前記第１データ記憶部における前記データ構造内の所定の位置に存在する１つのデータユニットの中の少なくともいくつかのデータに関する情報が伝達され、また一方で、前記メッセージの中で、前記所定の位置に関する情報も、前記メッセージの要素またはフィールドにて伝達され、
前記メッセージの中で、前記第１データ記憶部における前記データユニットの中の少なくともいくつかのデータに関する情報は、前記位置に関する情報が配置される要素またはフィールドとは異なる要素またはフィールドに配置されることを特徴とする、第１データ記憶部と第２データ記憶部との間で同期を取るための方法。
【請求項２】
前記第１データ記憶部における前記データユニットの中の少なくともいくつかのデータに関する情報が配置される要素またはフィールド、または、前記位置に関する情報が配置される要素またはフィールドが、前記メッセージのフィールドである請求項１に記載の方法。
【請求項３】
前記第１データ記憶部における前記データユニットの中の少なくともいくつかのデータに関する情報は、前記メッセージのデータ要素に含まれる請求項１に記載の方法。
【請求項４】
前記データ要素は、プロトコルコマンド要素のデータ要素である請求項３に記載の方法。
【請求項５】
前記位置に関する情報は、前記メッセージの非データ要素に含まれる請求項１に記載の方法。
【請求項６】
前記非データ要素は、プロトコルコマンド要素の非データ要素である請求項５に記載の方法。
【請求項７】
前記位置に関する情報は、フォルダの情報を含む請求項１に記載の方法。
【請求項８】
前記メッセージの中のデータ識別要素が、プロトコルコマンド要素に含まれており、前記プロトコルコマンド要素は、前記データ識別要素と組み合わされて前記位置に関する情報を表示する請求項１記載の方法。
【請求項９】
データ識別要素が前記メッセージに含まれており、前記位置に関する情報は、前記データ識別要素にて提供される請求項１記載の方法。
【請求項１０】
クライアント／サーバプロトコルにおいて、前記第１装置はクライアントとして機能し、また一方で、前記クライアント／サーバプロトコルにおいて、前記第２装置はサーバとして機能する請求項１に記載の方法。
【請求項１１】
クライアント／サーバプロトコルにおいて、前記第１装置はクライアントとして機能し、また一方で、前記クライアント／サーバプロトコルにおいて、前記第２装置はサーバとして機能し、前記メッセージを伝達するステップは、前記第２装置からのクライアントメッセージに応答して、前記データ記憶部に関して前記クライアントメッセージが引き起こすいかなる衝突をも解消することを含む請求項１に記載の方法。
【請求項１２】
前記第１データ記憶部および前記第１データ記憶部に記憶されている前記データは、前記第１装置および前記第２装置がホストであるアプリケーションによる装置管理のために使用される請求項１に記載の方法。
【請求項１３】
前記第１データ記憶部および前記第１データ記憶部に記憶されている前記データは、前記第１装置および前記第２装置がホストであるアプリケーションによるユーザデータとして使用される請求項１に記載の方法。
【請求項１４】
コンピュータプロセッサによる実行に使用されるコンピュータプログラムコードを具体化したコンピュータ読み取り可能な記憶構造体を有し、前記コンピュータプログラムコードは、請求項１に記載の方法に従って前記ステップを実行すべき旨の命令を含むことを特徴とするコンピュータプログラム。
【請求項１５】
装置自体に備わっている第１データ記憶部と、第２装置に備わっている第２データ記憶部との間で少なくとも部分的に同期を取るための装置であって、前記第１データ記憶部および前記第１データ記憶部の各々は、データをデータユニットとしてフォルダに記憶するために使用され、前記フォルダは相互関係を有し、かつ、データ構造を定義し、前記装置は、
前記第２装置にメッセージを伝達する手段を備え、
前記メッセージの中で、前記第１データ記憶部における前記データ構造内の所定の位置に存在する１つのデータユニットの中の少なくともいくつかのデータに関する情報が伝達され、また一方で、前記メッセージの中で、前記所定の位置に関する情報も、前記メッセージの要素またはフィールドにて伝達され、
前記メッセージの中で、前記第１データ記憶部における前記データユニットの中の少なくともいくつかのデータに関する情報は、前記位置に関する情報が配置される要素またはフィールドとは異なる要素またはフィールドに配置されることを特徴とする、第１データ記憶部と第２データ記憶部との間で同期を取るための装置。
【請求項１６】
前記装置は、無線通信端末または有線通信端末のいずれか一方である請求項１５に記載の装置。
【請求項１７】
クライアント／サーバモデルにおいて、前記装置はクライアントとして機能する請求項１５に記載の装置。
【請求項１８】
クライアント／サーバモデルにおいて、前記装置はサーバとして機能し、前記装置は、さらに、前記第２装置から同期させるべき旨の要求を受け取る手段と、前記同期させるべき旨の要求に応答して、前記メッセージを伝達する手段とを備える請求項１５に記載の装置。
【請求項１９】
前記装置は、さらに、前記メッセージを受け取る手段を備え、クライアント／サーバモデルにおいて、前記装置は、サーバとして機能し、かつ、前記メッセージが引き起こすいかなる衝突をも解消する手段を備える請求項１５に記載の装置。
【請求項２０】
前記第１データ記憶部および前記第１データ記憶部に記憶されている前記データは、前記装置および前記第２装置がホストであるアプリケーションによる装置管理のために使用される請求項１５に記載の装置。
【請求項２１】
前記第１データ記憶部および前記第１データ記憶部に記憶されている前記データは、前記第１装置および前記第２装置がホストであるアプリケーションによるユーザデータとして使用される請求項１５に記載の装置。
【請求項２２】
請求項１５に記載の装置として第１装置を備えると共に、前記第１装置のホストである前記第２装置を備えることを特徴とするシステム。
【請求項２３】
クライアント／サーバモデルにおいて、前記第１装置はサーバとして機能し、また一方で、クライアント／サーバモデルにおいて、前記第２装置はクライアントとして機能する請求項２２に記載のシステム。
【請求項２４】
前記第２装置にメッセージを伝達する手段が、前記第２装置から送出されるような前記第２装置に同期させるべき旨の要求に応答するようになっている請求項２３に記載のシステム。
【手続補正２】
【補正対象書類名】明細書
【補正対象項目名】発明の名称
【補正方法】変更
【補正の内容】
【発明の名称】第１データ記憶部と第２データ記憶部との間で同期を取るための方法および装置
【手続補正３】
【補正対象書類名】明細書
【補正対象項目名】００２９
【補正方法】変更
【補正の内容】
【００２９】
本発明の第２の態様において、第１装置の動作および第２装置の動作に関連して、本発明の第１の態様に応じて動作する装置が提供される。本発明の第２の態様によれば、当該装置は無線通信端末であってよい。また一方で、当該装置は、無線通信端末ではなく、有線通信端末であってよい。さらにまた、当該装置は、クライアント／サーバモデルにおいてサーバとして機能することが可能であり、メッセージによって引き起こされる衝突を解消するための同期エンジンを含んでいてよい。
【手続補正４】
【補正対象書類名】明細書
【補正対象項目名】００３０
【補正方法】変更
【補正の内容】
【００３０】
本発明の第３の態様において、本発明の第２の態様による第１装置を備え、当該第１装置は、クライアント／サーバモデルにおいてサーバとして機能し、メッセージによって引き起こされる衝突を解消するための同期エンジンを含んでいることを特徴とするシステムであって、さらに、本発明の第２の態様による第２装置を備え、当該第２装置は、クライアント／サーバモデルにおいてクライアントとして機能することを特徴とするシステムが提供される。
【手続補正５】
【補正対象書類名】明細書
【補正対象項目名】００３１
【補正方法】変更
【補正の内容】
【００３１】
本発明の第４の態様において、電気通信装置（１１、１２）が第１装置および第２装置に関連して本発明の第１の態様に応じて動作するように、電気通信装置（１１、１２）のための動作命令を示すコンピュータプログラムが提供される。